【手続補正書】
【提出日】平成26年11月5日(2014.11.5)
【手続補正１】
【補正対象書類名】特許請求の範囲
【補正対象項目名】全文
【補正方法】変更
【補正の内容】
【特許請求の範囲】
【請求項１】
端末と通信可能なユーザ情報管理装置を有するユーザ採取情報管理装置であって，
前記ユーザ情報管理装置は，
時間の単位区間において実世界で採取された実世界採取情報を有する単位区間データを入力して蓄積し，当該単位区間データをユーザが注視した情報か否かを決定するユーザ注視区間決定部と，
前記ユーザ注視区間データに含まれる語の採取重要度を算出する各語採取重要度算出部と，
前記ユーザ注視区間データに含まれる語の前記採取重要度に応じて表示対象となるユーザ語群に加え，当該ユーザ語群の語を前記端末の表示部に表示させる表示処理部とを有し，
前記表示部に表示される前記ユーザ語群の語をある関心事に関連づけるユーザ操作に応答して，前記ユーザ操作された語が前記関心事に関連づけされるユーザ情報管理装置。
【請求項２】
請求項１において，
前記ユーザ情報管理装置は，さらに，
前記単位区間データに含まれる語を少なくとも採取時間と共に蓄積する実世界採取情報データベースと，
前記端末においてアプリケーションプログラムで利用された語の当該利用履歴を蓄積する各語アプリケーション利用履歴データベースとにアクセス可能にされ，
前記各語採取重要度算出部は，
前記ユーザ注視区間データに含まれる語のうち前記各語アプリケーション利用履歴データベースで利用有りとなっている利用履歴あり語それぞれについて，過去時点までの利用履歴と，現在の時点までの利用履歴との共通程度を示す利用履歴同一程度を求め，
前記端末での前記関心事への関連づけを行うユーザ操作が行われた後の新しい関心事関連情報形成フェーズでは，定常的情報獲得傾向の重みｗ１を第１の値に，一次的情報獲得の重みｗ２を前記第１の値より高い第２の値とし，
前記新しい関心事関連情報形成フェーズ後の継続的関心事関連情報形成フェーズでは，前記重みｗ１は前記利用履歴同一程度に基づく値，前記重みｗ２は１−ｗ１として，
前記ユーザ注視区間データが有する利用履歴あり語の数に基づく定常的情報獲得スコアと，前記ユーザ注視区間データが有する利用履歴なし語の数に基づく一次的情報獲得スコアとを，前記定常的情報獲得傾向の重みｗ１と一次的情報獲得傾向の重みｗ２とでそれぞれ重み付けした区間採取重要度を求め，前記ユーザ注視区間データに含まれる利用履歴あり語と利用履歴なし語に対する前記区間採取重要度への寄与スコアを各語の採取重要度として算出する，
ユーザ情報管理装置。
【請求項３】
請求項２において，
前記利用履歴同一程度は，前記ユーザ注視区間データに含まれる語のうち前記各語アプリケーション利用履歴データベースで利用有りとなっている利用履歴あり語それぞれについて，過去に前記利用履歴あり語と同じ単位区間で採取された語であって過去の時点までに利用履歴ありの語と，現在の時点までの利用履歴ありの語との共通程度によって求められる，
ユーザ情報管理装置。
【請求項４】
請求項２において，
前記定常的情報獲得スコアは，前記ユーザ注視区間データが有する全語数に対する利用履歴あり語の数の割合であり，
前記一次的情報獲得スコアは，前記ユーザ注視区間データが有する全語数に対する利用履歴なし語の数の割合である，
ユーザ情報管理装置。
【請求項５】
請求項１において，
前記ユーザ情報管理装置は，さらに，
前記単位区間データに含まれる語を少なくとも採取時間と共に蓄積する実世界採取情報データベースと，
前記端末においてアプリケーションプログラムで利用された語の当該利用履歴を蓄積する各語アプリケーション利用履歴データベースとにアクセス可能にされ，
前記各語採取重要度算出部は，
前記ユーザ注視区間データに含まれる語のうち前記各語アプリケーション利用履歴データベースで利用有りとなっている利用履歴あり語それぞれについて，過去時点までの利用履歴と，現在の時点までの利用履歴との共通程度を示す利用履歴同一程度を求め，
前記端末での前記関心事への関連づけを行うユーザ操作が行われた後の新しい関心事関連情報形成フェーズでは，定常的情報獲得傾向の重みｗ１を第１の値，一次的情報獲得の重みｗ１を前記第１の値より高い第２の値とし，
前記新しい関心事関連情報形成フェーズ後の継続的関心事関連情報形成フェーズでは，前記重みｗ１は前記利用履歴同一程度に基づく値，前記重みｗ２は１−ｗ１とし，
前記ユーザ注視区間データに含まれる語のうち前記各語アプリケーション利用履歴データベースで利用有りとなっている利用履歴あり語それぞれについて，当該利用履歴あり語および過去に前記利用履歴あり語と同じ単位区間で採取された語の，過去の採取回数に基づく登場機会の希な程度として求め，
前記ユーザ注視区間データに含まれる利用履歴あり語について，その登場機会の稀な程度に前記重みｗ１で重み付けし，利用履歴なし語について，前記ユーザ注視区間データが
有する全語数に対する利用履歴なし語の数の割合である一次的情報獲得スコアに前記重みｗ２で重み付けして，区間採取重要度への寄与スコアを各語の前記採取重要度として算出
する，
ユーザ情報管理装置。
【請求項６】
請求項５において，
前記登場機会の希な程度は，前記ユーザ注視区間データに含まれる語のうち前記各語アプリケーション利用履歴データベースで利用有りとなっている利用履歴あり語それぞれについて，過去に前記利用履歴あり語と同じ単位区間で採取された語であって過去に利用された語の集合である同区間採取語・利用有集合の語数に対する，前記同区間採取語・利用有集合に含まれる前記利用履歴あり語の数の割合である，
ユーザ情報管理装置。
【請求項７】
請求項１，２または５において，
前記表示処理部は，前記各語の採取重要度の累計に応じて，前記ユーザ語群に加える，ユーザ情報管理装置。
【請求項８】
請求項１，２または５において，
前記ユーザ情報管理装置は，ユーザが前記実世界採取情報を採取するときの当該ユーザの注視状態を有するユーザ注視情報を入力し，
前記ユーザ注視区間決定部は，前記ユーザ注視情報に基づいて，前記単位区間データをユーザが注視した情報か否かを決定する，
ユーザ情報管理装置。
【請求項９】
請求項１，２または５において，
前記ユーザ情報管理装置は，前記単位区間データを少なくとも採取時間と共に蓄積する実世界採取情報データベースにアクセス可能にされ，
前記ユーザ注視区間決定部は，入力単位区間データと，前記実世界採取情報データベースに蓄積されている蓄積単位区間データとの類似度を算出し，当該類似度が閾値を超える場合に前記ユーザ注視区間と推定する，
ユーザ情報管理装置。
【請求項１０】
端末と通信可能なユーザ情報管理装置を有するユーザ採取情報管理装置におけるユーザ情報管理方法であって，
前記ユーザ情報管理装置は，
時間の単位区間において実世界で採取された実世界採取情報を有する単位区間データを入力して蓄積し，当該単位区間データをユーザが注視した情報か否かを決定するユーザ注視区間決定工程と，
前記ユーザ注視区間データに含まれる語の採取重要度を算出する各語採取重要度算出工程と，
前記ユーザ注視区間データに含まれる語の前記採取重要度に応じて表示対象となるユーザ語群に加え，当該ユーザ語群の語を前記端末の表示部に表示させる表示処理工程とを行い，
前記表示部に表示される前記ユーザ語群の語をある関心事に関連づけるユーザ操作に応答して，前記ユーザ操作された語が前記関心事に関連づけられるユーザ情報管理方法。